(57)【特許請求の範囲】
【請求項１】
１つまたは複数のプロセッサと、前記１つまたは複数のプロセッサにより実行可能な、１つまたは複数のプログラムを記憶するメモリとを有するサーバで遂行される、知られているユーザの広告接触を追跡する方法であって、
回答者として新しく登録されたユーザに対してデバイス非依存の回答者ＩＤを生成し、前記回答者ＩＤを、前記ユーザに関連付けられるホームルータに送出する工程であって、前記ホームルータが前記回答者ＩＤを記憶する、送出する工程と、
前記ホームルータから、前記回答者ＩＤ、および、第１のウェブアプリケーションに関連付けられる第１のクッキーＩＤを含む、前記ホームルータにより生成されるメッセージを受信する工程であって、前記第１のクッキーＩＤが、前記第１のウェブアプリケーション、および、前記第１のウェブアプリケーションを利用するために前記ユーザにより用いられる一意的なパーソナルユーザデバイスを識別する、受信する工程と、
回答者データベース内に、前記回答者ＩＤを前記第１のクッキーＩＤと相互に関係付けるレコードを記憶する工程と、
広告ログから、前記パーソナルユーザデバイスで前記ユーザに提供される第１の広告のログレコードを索出する工程であって、前記ログレコードが、前記第１のクッキーＩＤ、および、前記第１の広告に対応する識別子を含む、索出する工程と、
前記回答者データベース内に記憶される、前記回答者ＩＤと前記第１のクッキーＩＤとの間の前記相互の関係付けを使用して、前記第１の広告を前記回答者ＩＤと相互に関係付ける工程と、
前記回答者ＩＤを前記広告ログ内の前記ログレコードに割り当てる工程と
を含む、方法。
【請求項２】
前記ログレコードが、前記第１の広告が前記ユーザに提供された場所に関連付けられるＩＰアドレスを含む、請求項１に記載の方法。
【請求項３】
前記ログレコードが、前記第１の広告が前記ユーザに提供されたときに前記パーソナルユーザデバイスがどこに位置したかを識別する場所情報を含む、請求項１に記載の方法。
【請求項４】
前記ログレコードが、前記第１の広告が前記ユーザにいつ提供されたかを示すタイムスタンプを含む、請求項１に記載の方法。
【請求項５】
前記ホームルータから、前記回答者ＩＤ、および、第２のウェブアプリケーションに関連付けられる第２のクッキーＩＤを含む、前記ホームルータにより生成されるメッセージを受信する工程であって、前記第２のクッキーＩＤが、前記第２のウェブアプリケーション、および、前記パーソナルユーザデバイスを識別する、受信する工程と、
前記回答者データベース内に、前記回答者ＩＤを前記第２のクッキーＩＤと相互に関係付ける第２のレコードを記憶する工程と、
広告ログから、前記パーソナルユーザデバイスで前記ユーザに提供される第２の広告の第２のログレコードを索出する工程であって、前記第２のログレコードが、前記第２のクッキーＩＤ、および、前記第２の広告に対応する識別子を含む、索出する工程と、
前記回答者データベース内に記憶される、前記回答者ＩＤと前記第２のクッキーＩＤとの間の前記相互の関係付けを使用して、前記第２の広告を前記回答者ＩＤと相互に関係付ける工程と、
前記回答者ＩＤを前記広告ログ内の前記第２のログレコードに割り当てる工程と
をさらに含む、請求項１に記載の方法。
【請求項６】
１つまたは複数のプロセッサと、前記１つまたは複数のプロセッサにより実行可能な、１つまたは複数のプログラムを記憶するメモリとを有する広告サーバで、
広告要求を前記パーソナルユーザデバイスから受信する工程と、
少なくとも部分的に、前記ログレコードを利用して、前記広告要求に応答して第３の広告を選択する工程と、
前記第３の広告を前記パーソナルユーザデバイスに送出する工程と
をさらに含む、請求項１に記載の方法。
【請求項７】
前記回答者ＩＤおよび前記第１のクッキーＩＤを含む前記メッセージが広告要求である、請求項１に記載の方法。
【請求項８】
１つまたは複数のサーバコンピュータを備え、各々のサーバコンピュータが、
１つまたは複数のプロセッサと、
メモリと、
前記１つまたは複数のプロセッサによる実行のために前記メモリ内に記憶される、１つまたは複数のプログラムとを含み、前記１つまたは複数のプログラムが、
回答者として新しく登録されたユーザに対してデバイス非依存の回答者ＩＤを生成し、前記回答者ＩＤを、前記ユーザに関連付けられるホームルータに送出することであって、前記ホームルータが前記回答者ＩＤを記憶する、送出することと、
前記ホームルータから、前記回答者ＩＤ、および、第１のウェブアプリケーションに関連付けられる第１のクッキーＩＤを含む、前記ホームルータにより生成されるメッセージを受信することであって、前記第１のクッキーＩＤが、前記第１のウェブアプリケーション、および、前記第１のウェブアプリケーションを利用するために前記ユーザにより用いられる一意的なパーソナルユーザデバイスを識別する、受信することと、
回答者データベース内に、前記回答者ＩＤを前記第１のクッキーＩＤと相互に関係付けるレコードを記憶することと、
広告ログから、前記パーソナルユーザデバイスで前記ユーザに提供される第１の広告のログレコードを索出することであって、前記ログレコードが、前記第１のクッキーＩＤ、および、前記第１の広告に対応する識別子を含む、索出することと、
前記回答者データベース内に記憶される、前記回答者ＩＤと前記第１のクッキーＩＤとの間の前記相互の関係付けを使用して、前記第１の広告を前記回答者ＩＤと相互に関係付けることと、
前記回答者ＩＤを前記広告ログ内の前記ログレコードに割り当てることと
を行うための命令を含む、サーバシステム。
【請求項９】
前記ログレコードが、前記第１の広告が前記ユーザに提供された場所に関連付けられるＩＰアドレスを含む、請求項８に記載のサーバシステム。
【請求項１０】
前記ログレコードが、前記第１の広告が前記ユーザに提供されたときに前記パーソナルユーザデバイスがどこに位置したかを識別する場所情報を含む、請求項８に記載のサーバシステム。
【請求項１１】
前記ログレコードが、前記第１の広告が前記ユーザにいつ提供されたかを示すタイムスタンプを含む、請求項８に記載のサーバシステム。
【請求項１２】
前記１つまたは複数のプログラムが、
前記ホームルータから、前記回答者ＩＤ、および、第２のウェブアプリケーションに関連付けられる第２のクッキーＩＤを含む、前記ホームルータにより生成されるメッセージを受信することであって、前記第２のクッキーＩＤが、前記第２のウェブアプリケーション、および、前記パーソナルユーザデバイスを識別する、受信することと、
前記回答者データベース内に、前記回答者ＩＤを前記第２のクッキーＩＤと相互に関係付ける第２のレコードを記憶することと、
広告ログから、前記パーソナルユーザデバイスで前記ユーザに提供される第２の広告の第２のログレコードを索出することであって、前記第２のログレコードが、前記第２のクッキーＩＤ、および、前記第２の広告に対応する識別子を含む、索出することと、
前記回答者データベース内に記憶される、前記回答者ＩＤと前記第２のクッキーＩＤとの間の前記相互の関係付けを使用して、前記第２の広告を前記回答者ＩＤと相互に関係付けることと、
前記回答者ＩＤを前記広告ログ内の前記第２のログレコードに割り当てることと
を行うための命令をさらに含む、請求項８に記載のサーバシステム。
【請求項１３】
前記１つまたは複数のプログラムが、
広告要求を前記パーソナルユーザデバイスから受信することと、
少なくとも部分的に、前記ログレコードを利用して、前記広告要求に応答して第３の広告を選択することと、
前記第３の広告を前記パーソナルユーザデバイスに送出することと
を行うための命令をさらに含む、請求項８に記載のサーバシステム。
【請求項１４】
前記回答者ＩＤおよび前記第１のクッキーＩＤを含む前記メッセージが広告要求である、請求項８に記載のサーバシステム。
【請求項１５】
１つまたは複数のサーバコンピュータによる実行のために構成される、１つまたは複数のプログラムを記憶する非一時的コンピュータ可読記憶媒体であって、各々のサーバコンピュータが、１つまたは複数のプロセッサと、前記１つまたは複数のプロセッサによる実行のために、１つまたは複数のプログラムを記憶するメモリとを有し、前記１つまたは複数のプログラムが、
回答者として新しく登録されたユーザに対してデバイス非依存の回答者ＩＤを生成し、前記回答者ＩＤを、前記ユーザに関連付けられるホームルータに送出することであって、前記ホームルータが前記回答者ＩＤを記憶する、送出することと、
前記ホームルータから、前記回答者ＩＤ、および、第１のウェブアプリケーションに関連付けられる第１のクッキーＩＤを含む、前記ホームルータにより生成されるメッセージを受信することであって、前記第１のクッキーＩＤが、前記第１のウェブアプリケーション、および、前記第１のウェブアプリケーションを利用するために前記ユーザにより用いられる一意的なパーソナルユーザデバイスを識別する、受信することと、
回答者データベース内に、前記回答者ＩＤを前記第１のクッキーＩＤと相互に関係付けるレコードを記憶することと、
広告ログから、前記パーソナルユーザデバイスで前記ユーザに提供される第１の広告のログレコードを索出することであって、前記ログレコードが、前記第１のクッキーＩＤ、および、前記第１の広告に対応する識別子を含む、索出することと、
前記回答者データベース内に記憶される、前記回答者ＩＤと前記第１のクッキーＩＤとの間の前記相互の関係付けを使用して、前記第１の広告を前記回答者ＩＤと相互に関係付けることと、
前記回答者ＩＤを前記広告ログ内の前記ログレコードに割り当てることと
を行うための命令を含む、非一時的コンピュータ可読記憶媒体。
【請求項１６】
前記ログレコードが、前記第１の広告が前記ユーザに提供された場所に関連付けられるＩＰアドレスを含む、請求項１５に記載のコンピュータ可読記憶媒体。
【請求項１７】
前記ログレコードが、前記第１の広告が前記ユーザに提供されたときに前記パーソナルユーザデバイスがどこに位置したかを識別する場所情報を含む、請求項１５に記載のコンピュータ可読記憶媒体。
【請求項１８】
前記ログレコードが、前記第１の広告が前記ユーザにいつ提供されたかを示すタイムスタンプを含む、請求項１５に記載のコンピュータ可読記憶媒体。
【請求項１９】
前記１つまたは複数のプログラムが、
前記ホームルータから、前記回答者ＩＤ、および、第２のウェブアプリケーションに関連付けられる第２のクッキーＩＤを含む、前記ホームルータにより生成されるメッセージを受信することであって、前記第２のクッキーＩＤが、前記第２のウェブアプリケーション、および、前記パーソナルユーザデバイスを識別する、受信することと、
前記回答者データベース内に、前記回答者ＩＤを前記第２のクッキーＩＤと相互に関係付ける第２のレコードを記憶することと、
広告ログから、前記パーソナルユーザデバイスで前記ユーザに提供される第２の広告の第２のログレコードを索出することであって、前記第２のログレコードが、前記第２のクッキーＩＤ、および、前記第２の広告に対応する識別子を含む、索出することと、
前記回答者データベース内に記憶される、前記回答者ＩＤと前記第２のクッキーＩＤとの間の前記相互の関係付けを使用して、前記第２の広告を前記回答者ＩＤと相互に関係付けることと、
前記回答者ＩＤを前記広告ログ内の前記第２のログレコードに割り当てることと
を行うための命令をさらに含む、請求項１５に記載のコンピュータ可読記憶媒体。
【請求項２０】
前記１つまたは複数のプログラムが、
広告要求を前記パーソナルユーザデバイスから受信することと、
少なくとも部分的に、前記ログレコードを利用して、前記広告要求に応答して第３の広告を選択することと、
前記第３の広告を前記パーソナルユーザデバイスに送出することと
を行うための命令をさらに含む、請求項１５に記載のコンピュータ可読記憶媒体。
【請求項２１】
前記回答者ＩＤおよび前記第１のクッキーＩＤを含む前記メッセージが広告要求である、請求項１５に記載のコンピュータ可読記憶媒体。
【発明の詳細な説明】
【技術分野】
【０００１】
[0001]  開示する実施形態は、一般的には広告接触を測定することに関し、より詳細には、モバイルデバイス上のオンライン広告接触を測定することに関する。
【背景技術】
【０００２】
[0002]  ユーザは、コンピュータまたは他のデバイスを使用してインターネットにアクセスする。インターネットを使用してユーザは、情報を検索し、衣類、本、電子機器、医療用品等の買物を行い、ＹｏｕＴｕｂｅ上でビデオを観視し、ソーシャルネットワーキングサイト上で友人および家族とのつながりを持ち、オンラインゲームを行い、多くの他の活動に携わることが可能である。ユーザは、ウェブページおよび／またはウェブアプリケーションを使用してインターネット上のリソースにアクセスする。多くの事例ではウェブページおよびウェブアプリケーションは、広告用に指定された領域を含み、広告が、ユーザアクセスの間に動的に充填される。
【０００３】
[0003]  広告への接触を測定することで、個々のユーザおよび広告主の両者に対して、価値の高い情報を提供することが可能になる。個々のユーザに対しては、接触を測定することで、同じユーザに同じ広告を繰り返し提示することを防止し、より有用である広告をユーザに対して提供することが可能になる。広告主に対しては、接触を測定することが、広告主の広告を目にする人々の特性を識別することと同様に、広告宣伝キャンペーンの範囲および有効性を決定することの一助となり得る。
【０００４】
[0004]  歴史的には、テレビおよびインターネットの活動に関する情報は、調査またはログイン／ログアウトのメカニズム（機構）により測定された。この方法論は有用であり得るが、データは必ずしも正確ではなく、大規模な調査においては諸経費が非常に高くなる。特にこのことは、参加することに同意するユーザに負担をかけるものであり、ユーザがプロセスを守るという保証はない。
【０００５】
[0005]  代替的なプロセスは、登録された回答者（panelist）に関するデータの自動的な収集を必然的に伴う。十分な数の回答者を誘引するために、様々なインセンティブが提供され得る。例えば回答者は、現金報酬、ペイパービュー映画を視聴することに対する信用貸し、プレミアムチャネルに関する割引、または、くじの参加申し込みを受け取ることが可能である。
【０００６】
[0006]  １つの方法論では、特別な追跡ソフトウェアが各々のデバイスにダウンロードされ、ソフトウェアが広告接触を追跡する。この方法論は、膨大なデバイスがインターネットに、多様なブラウザ、オペレーティングシステム、および制限によってアクセスするので、困難を有するものである。特に、追跡ソフトウェアを一部のデバイスにダウンロードすることは困難または不可能であり、追跡ソフトウェアがダウンロードされ得るときでさえ、その追跡ソフトウェアは、デバイスでの多くの差異のために適正に機能しない場合がある。
【０００７】
[0007]  代替案として、自宅での登録された回答者は、その回答者のウェブ活動が、ホームルータ上で稼働するメータにより測定されるようにすることが可能である。ウェブアプリケーションまたはウェブページが広告をサービス提供するとき、ホームルータは、再調査および報告のために、その情報を追跡し、その情報を回答者サーバに送出することが可能である。このようにして、データは正確に追跡され、回答者に負担をかけない。
【０００８】
[0008]  このプロセスは、コンピュータがホームルータを介して接続されるときには正常に機能する。しかしながら、モバイルデバイス（例えば、スマートフォン、タブレットコンピュータ、ラップトップコンピュータ等）の数がますます増加しており、これらのデバイスは、回答者のホームルータを常に使用しているとは限らない。回答者がこれらのモバイルデバイスの１つを自宅以外の場所で使用しているとき、ウェブ活動は、ローカルＷｉＦｉまたはセルラーのネットワークなどの異なるネットワークを介してルーティングされる。これらの代替的な場所でユーザに提示される広告は、回答者のホームルータを通過させられないものである。広告サーバがすべての広告要求をロギングする場合でも、広告は回答者には関連付けられない。
【発明の概要】
【０００９】
[0009]  家庭内の大多数のインターネットが使用可能なデバイス（例えば、デスクトップコンピュータ、ラップトップコンピュータ、タブレットコンピュータ、スマートフォン等）は、単一の家庭用ルータを介してインターネットにアクセスする。インターネット活動を適正な宛先にルーティングすることに加えて、ルータは、他の機能を遂行するためのソフトウェアを走らせることが可能である。特にルータは、データが通過する際にウェブトラフィックを検査することが可能であり、そのトラフィックに基づいて処置をとることが可能である。上記で指摘したように、ルータ上のメータが、広告に対する要求、およびそれらの要求への応答を含む、ウェブ活動を測定することが可能である。
【００１０】
[0010]  家庭は、そのウェブ活動がモニタされるように登録作業を行うことを、何らかの利益（例えば、金銭的報酬、特別なオファー、インターネットへのアクセスのための費用の低減、ペアレンタルコントロールツール等）と引き換えに行うことが可能である。一部の実施形態では、同じ家庭がさらに、そのテレビ視聴活動が同様にモニタされることになる。登録された家庭は、「回答者」となる。一部の実施形態では、データは個々の家庭構成員別に追跡され、その事例では回答者は家庭構成員である。
【００１１】
[0011]  登録された回答者に対して、ルータは、回答者を一意的に識別する回答者ＩＤを記憶することが可能である。ルータは、ウェブ要求内に含まれるクッキーを検出および記憶することもまた可能であり、それらのウェブ要求は、各々のクッキーに関連付けられるクッキーＩＤを含む。特に、回答者ＩＤおよびクッキーＩＤの両方にアクセスできることにより、ルータはそれらを相互に関係付けることが可能である。ルータは、回答者ＩＤとクッキーＩＤとの間の相互の関係付けが回答者サーバで記憶されるように、回答者サーバにメッセージを送出することが可能である。
【００１２】
[0012]  回答者サーバが回答者ＩＤをクッキーＩＤと相互に関係付けるので、自宅の外部の回答者ウェブ活動もまた追跡され得る。例えばモバイルデバイスが、インターネットにアクセスし、広告を要求するとき、要求は、ウェブアプリケーションに関連付けられるクッキーを含む。広告サーバは、クッキーＩＤ、および、選択された広告に対する識別子を含む広告要求をロギングする。後で回答者サーバは、クッキーＩＤに関連付けられるログエントリを検出し、そのクッキーＩＤを対応する回答者ＩＤと相互に関係付ける。モバイルデバイスがインターネットにどこでアクセスするかに関係なく、広告要求はロギングされ、後で適正な回答者に関連付けられる。一部の実施形態では、広告要求との回答者の関連付けはリアルタイムで行われるが、リアルタイムの相互の関係付けは必須ではない。
【００１３】
[0013]  一部の実施形態によれば、コンピュータ実装方法が、各々が１つまたは複数のプロセッサおよびメモリを伴う、１つまたは複数のサーバシステムで実行する。メモリは、１つまたは複数のプロセッサによる実行のための、１つまたは複数のプログラムを記憶する。プログラムは、登録されたユーザの広告接触を追跡するための命令を含む。プログラムは、ホームルータからの、ユーザを回答者として登録するための要求を受信し、その回答者のオンライン広告接触が追跡される。登録プロセスは、回答者を一意的に識別する回答者ＩＤを生成し、回答者ＩＤをホームルータに送出することを含む。その後プログラムは、ホームルータから、回答者ＩＤ、および、第１のウェブアプリケーションに関連付けられる第１のクッキーＩＤを含むメッセージを受信する。第１のクッキーＩＤは、第１のウェブアプリケーション、および、一意的なパーソナルユーザデバイスを識別する。プログラムは、回答者ＩＤを第１のクッキーＩＤと相互に関係付け、回答者ＩＤを第１のクッキーＩＤと相互に関係付ける情報を回答者データベース内に記憶する。プログラムはさらに、パーソナルユーザデバイスから発生する第１の広告要求を受信する。第１の広告要求は、第１のクッキーＩＤを含み、ホームルータを介してルーティングされない。プログラムは、第１の広告要求に応答して第１の広告を選択し、第１の広告をパーソナルユーザデバイスに送出する。プログラムはさらに、第１のクッキーＩＤ、および、第１の広告に対応する識別子を含む、第１の広告要求に対応する情報を広告ログ内に記憶する。プログラムは、第１のクッキーＩＤを使用して、第１の広告要求を回答者ＩＤと相互に関係付ける。ユーザに関連付けられる１つまたは複数のレコードが広告ログ内に存在すると直ちに、プログラムは、ユーザのオンライン広告接触の報告を生成する。報告は、少なくとも、第１の広告要求に対応する情報の部分集合を含む。
【００１４】
[0014]  会社は、ウェブおよびテレビの広告宣伝の届く範囲を予算の範囲内で最大化することを望むものであり、そのため、誰が（および、いつ）ウェブにアクセスしているかに関する、より精密なデータを有することによって、広告主は、過剰な広告宣伝を回避することが可能になる。一部の実施形態の別の利点は、視聴者数情報のより良好な報告を提供することである。例えば広告主がアドキャンペーンを打つとき、広告主は、それがどれほど成功したかをできれば知りたいと思う。より詳細な情報を提供することにより、広告主は、キャンペーンの成功をより良好に評価することが可能である。
【図面の簡単な説明】
【００１５】
【図１】[0015]一部の実施形態による、オンライン広告宣伝への接触を追跡するシステムのブロック図である。
【図２】[0016]一部の実施形態による、クライアント家庭用コンピュータの機能ブロック図である。
【図３】[0017]一部の実施形態による、パーソナルユーザデバイスの機能ブロック図である。
【図４】[0018]一部の実施形態による、ホームルータの機能ブロック図である。
【図５】[0019]一部の実施形態による、広告サーバの機能ブロック図である。
【図６】[0020]一部の実施形態による、回答者サーバの機能ブロック図である。
【図７Ａ】[0021]一部の実施形態による、回答者データを記憶するための例示的なデータ構造の図である。
【図７Ｂ】[0022]一部の実施形態による、広告を記憶するための例示的なデータ構造の図である。
【図７Ｃ】[0023]一部の実施形態による、広告要求をロギングするための例示的なデータ構造の図である。
【図８Ａ】[0024]一部の実施形態による、ユーザまたは家庭を回答者として登録するための例示的なプロセスフロー図である。
【図８Ｂ】[0025]一部の実施形態による、広告視聴データを収集するための例示的なプロセスフロー図である。
【図８Ｃ】[0026]一部の実施形態による、広告視聴データを収集するための代替的な例示的なプロセスフロー図である。
【図８Ｄ】[0027]一部の実施形態による、収集された広告視聴データを利用するための例示的なプロセスフロー図である。
【図９Ａ】[0028]一部の実施形態による、オンライン広告接触を追跡するための例示的なプロセスを図解する図である。
【図９Ｂ】一部の実施形態による、オンライン広告接触を追跡するための例示的なプロセスを図解する図である。
【図９Ｃ】一部の実施形態による、オンライン広告接触を追跡するための例示的なプロセスを図解する図である。
【図９Ｄ】一部の実施形態による、オンライン広告接触を追跡するための例示的なプロセスを図解する図である。
【発明を実施するための形態】
【００１６】
[0029]  類似する参照番号は、図面のいくつかの図を通して対応する部分を指す。
【００１７】
[0030]  より良好な視聴者数報告、コンテンツに対する更に正確な提案、および／または、より良好なターゲット広告宣伝を提供するために、オンライン広告への接触を、ユーザが自宅にいないときでも追跡することが有用である。ユーザまたは家庭は、それらの活動がモニタされるように登録作業を行うことを、何らかの利益（例えば、個人化されたコンテンツ、特別なアクセス、金銭的報酬、特別なオファー、インターネットへのアクセスのための費用の低減、ペアレンタルコントロールツール等）と引き換えに行う。登録作業プロセスではユーザは、各々の家庭構成員の年齢および性別を含み得る、ある種のデモグラフィック情報を提供する。個々のユーザに、それらのユーザ自身の個々の活動を追跡することによって負担をかけるのではなく、開示する実施形態は、家庭のインターネットルータを利用して、広告接触を自動的に追跡する。次に実施形態を詳細に参照するが、それらの実施形態の例は、付随する図面で図解されている。
【００１８】
[0031]  図１は、広告追跡システム１６０がオンライン広告宣伝への接触をどのように追跡するかを図解する概念ブロック図である。この実施形態では追跡システム１６０は、広告サーバ１０６、および、別個の回答者サーバ１０８を含む。広告サーバ１０６は、広告要求を受信し（例えば、下記の図８Ｂおよび図８Ｃを参照）、次いで、データベース１１０内の広告テーブル１５４から広告を選択する。一部の実施形態では広告サーバ１０６は、（デモグラフィック情報などの）回答者テーブル１５２からの情報、および／または、広告ログ１５６を使用して、広告を選択する。次いで広告サーバ１０６は、選択された広告を、要求するデバイスに送出する。図解する実施形態では広告追跡システム１６０は、データベース１１０内のデータに関する他の分析的な機能を遂行する回答者サーバ１０８を含む。図８Ｄに関して下記でより詳細に図解するように、回答者サーバ１０８は、回答者を広告要求と相互に関係付けること、個々のユーザもしくはユーザの集約された集合に関する報告を生成すること、または、個々の回答者に対する行動のパターンを識別することが可能である。２つの別個のサーバとして図解するが、広告サーバ１０６および回答者サーバ１０８の機能性は、一部の実施形態では組み合わされる。さらにデータベース１１０は、広告サーバ１０６または回答者サーバ１０８のいずれかの中に物理的に含まれる場合がある。一部の実施形態ではデータベース１１０は、別個のデータベースサーバ上にある。当業者ならば認識することになるように、広告サーバ１０６の数は使用法に応じて変動することになり、５、１０、１００、またはそれより多くの広告サーバ１０６が、負荷に順応するために存在し得る。
【００１９】
[0032]  図１は、ユーザ１００もまた図解しており、ユーザ１００は、クライアントコンピュータ１０２（例えば、デスクトップコンピュータ）、および／または、パーソナルユーザデバイス１０４（例えば、スマートフォン、ラップトップコンピュータ、タブレットコンピュータ、または他のモバイルコンピューティングデバイス）を介してウェブリソースにアクセスする。コンピュータ１０２またはパーソナルデバイス１０４上で実行しているのが、ウェブブラウザ内部で実行するウェブアプリケーションであり得る、ソフトウェアアプリケーション１１６である。アプリケーション１１６に関連付けられるのが、アプリケーション１１６がインターネット上の任意のリソースへのアクセスを求めるときに使用される、クッキー１２２または１２４である。個々のユーザ１００がデスクトップコンピュータ１０２およびパーソナルデバイス１０４の両方を有するならば、各々はそれ自体のクッキー（例えば、クッキー１２２またはクッキー１２４）を有することになり、その理由は、クッキーはデバイス（コンピュータ１０２またはパーソナルデバイス１０４）およびアプリケーション１１６の両方を識別するからというものである。図１での図解は、パーソナルデバイス１０４上で実行する第２のアプリケーション１１８もまた示す。アプリケーション１１８およびアプリケーション１１６の両方が同じパーソナルデバイス１０４上で実行している場合でも、各々はそれ自体のクッキー（例えば、第１のアプリケーション１１６に対するクッキー１２４、および、第２のアプリケーション１１８に対するクッキー１２６）を有する。
【００２０】
[0033]  図１に示すように、パーソナルユーザデバイス１０４は、パーソナルユーザデバイスが自宅にあろうと、自宅から離れていようと、同じクッキー１２４および１２６を使用して、同じソフトウェアアプリケーション１１６および１１８を実行することが可能である。ユーザ１００がパーソナルデバイス１０４を自宅で使用するとき、ウェブ活動はホームルータ１１２を介してルーティングされる。加えて、クライアントコンピュータ１０２からのすべてのウェブ活動が、ホームルータ１１２を介してルーティングされる。通常は、クライアントコンピュータ１０２は、ケーブル１３６（例えば、Ethernet）によりホームルータに接続され、一方でパーソナルデバイス１０４は、ＷｉＦｉリンク１３８を介してホームルータ１１２に接続される。図８Ａ〜図８Ｄおよび図９Ａ〜図９Ｄに関して下記でより詳細に説明するように、ホームルータ１１２は、ある種の情報を測定および追跡するメータ１３０を含む。
【００２１】
[0034]  パーソナルデバイス１０４が自宅から離れているとき、ユーザ１００は、パーソナルデバイス１０４がインターネットに、ＷｉＦｉアクセスポイント１３４またはセルラー電話塔１３２（例えば、3Gまたは4G）を介して接続することが可能である限り、同じアプリケーション１１６および１１８にアクセスすることが可能である。図解するように、デバイスのすべては、１つまたは複数の通信ネットワーク１４０を介して通信する。
【００２２】
[0035]  図２は、家庭での典型的なクライアントコンピュータ１０２を図解する。クライアントコンピュータ１０２は一般的には、１つまたは複数の処理装置（CPU）２０２、１つまたは複数のネットワークまたは他の通信インターフェース２０４、メモリ２１４、および、これらの構成要素を相互接続するための１つまたは複数の通信バス２１２を含む。通信バス２１２は、システム構成要素間の通信を相互接続および制御する回路網（チップセットと呼ぶ場合がある）を含み得る。クライアントコンピュータ１０２は、ユーザインターフェース２０６、例えば、ディスプレイ２０８、ならびに、キーボードおよびマウスなどの、１つまたは複数の入力デバイス２１０を含む。メモリ２１４は、ＤＲＡＭ、ＳＲＡＭ、ＤＤＲ  ＲＡＭ、または他のランダムアクセスソリッドステートメモリデバイスなどの高速ランダムアクセスメモリを含み得るものであり、１つまたは複数の、磁気ディスク記憶デバイス、光学ディスク記憶デバイス、フラッシュメモリデバイス、または他の不揮発性ソリッドステート記憶デバイスなどの不揮発性メモリを含み得る。メモリ２１４は、中央処理装置２０２から遠くに位置する大容量記憶装置を含み得る。メモリ２１４、または代わりに、メモリ２１４内部の不揮発性メモリデバイスは、コンピュータ可読記憶媒体を備える。一部の実施形態ではメモリ２１４、または、メモリ２１４のコンピュータ可読記憶媒体は、以下のプログラム、モジュール、およびデータ構造、またはそれらの部分集合を記憶する。
・一般的には、様々な基本システムサービスに対処するための、および、ハードウェア依存のタスクを遂行するためのプロシージャを含む、オペレーティングシステム２１６（例えば、WINDOWSまたはMAC OS X）。
・クライアントコンピュータ１０２をサーバまたは他のコンピューティングデバイスに、インターネット、他のワイドエリアネットワーク、ローカルエリアネットワーク、メトロポリタンエリアネットワーク等々のような、１つまたは複数の通信ネットワーク１４０を介して接続するために使用される、ネットワーク通信モジュール２１８。
・クライアントコンピュータ１０２のユーザ１００が、通信ネットワークを介してウェブサイトおよび他のリソースにアクセスすることを可能にする、ウェブブラウザ２２０。ならびに、
・ウェブアプリケーションであり得る、第１のソフトウェアアプリケーション１１６。ソフトウェアアプリケーション１１６は、ウェブリソースにアクセスする。アプリケーション１１６がウェブリソースを要求するとき、アプリケーション１１６はクッキー１２２を要求に含める。
【００２３】
[0036]  図３は、典型的なパーソナルユーザデバイス１０４を図解する。パーソナルユーザデバイス１０４は、インターネットにアクセスする、ラップトップコンピュータ、タブレットコンピュータ、スマートフォン、および他のモバイルコンピューティングデバイスを含む。パーソナルデバイス１０４は一般的には、１つまたは複数の処理装置（CPU）３０２、１つまたは複数のネットワークまたは他の通信インターフェース３０４、メモリ３１４、および、これらの構成要素を相互接続するための１つまたは複数の通信バス３１２を含む。通信バス３１２は、システム構成要素間の通信を相互接続および制御する回路網（チップセットと呼ぶ場合がある）を含み得る。パーソナルデバイス１０４は、ユーザインターフェース３０６、例えば、ディスプレイ３０８、ならびに、タッチセンシティブディスプレイ（タッチスクリーンと呼ぶ場合がある）、または、キーボードおよびマウスなどの、１つまたは複数の入力デバイスまたは機構３１０を含む。一部の実施形態では、ディスプレイ３０８および入力デバイス／機構３１０は組み合わされる（例えば、タッチセンシティブディスプレイ）。タッチセンシティブディスプレイ３０８に関しては、ディスプレイ３０８は、必要に応じて「ボタン」または「キーボード」を設ける。メモリ３１４は、ＤＲＡＭ、ＳＲＡＭ、ＤＤＲ  ＲＡＭ、または他のランダムアクセスソリッドステートメモリデバイスなどの高速ランダムアクセスメモリを含み得るものであり、１つまたは複数の、磁気ディスク記憶デバイス、光学ディスク記憶デバイス、フラッシュメモリデバイス、または他の不揮発性ソリッドステート記憶デバイスなどの不揮発性メモリを含み得る。メモリ３１４は、中央処理装置３０２から遠くに位置する大容量記憶装置を含み得る。メモリ３１４、または代わりに、メモリ３１４内部の不揮発性メモリデバイスは、コンピュータ可読記憶媒体を備える。一部の実施形態ではメモリ３１４、または、メモリ３１４のコンピュータ可読記憶媒体は、以下のプログラム、モジュール、およびデータ構造、またはそれらの部分集合を記憶する。
・一般的には、様々な基本システムサービスに対処するための、および、ハードウェア依存のタスクを遂行するためのプロシージャを含む、オペレーティングシステム３１６（例えば、ANDROID（商標）、iOS（商標）、WINDOWS（登録商標）、またはMAC OS X）。
・パーソナルユーザデバイス１０４をサーバまたは他のコンピューティングデバイスに、インターネット、他のワイドエリアネットワーク、ローカルエリアネットワーク、メトロポリタンエリアネットワーク等々のような、１つまたは複数の通信ネットワーク１４０を介して接続するために使用される、ネットワーク通信モジュール３１８。
・パーソナルユーザデバイス１０４のユーザ１００が、通信ネットワークを介してウェブサイトおよび他のリソースにアクセスすることを可能にする、ウェブブラウザ３２０。
・ウェブアプリケーションであり得る、第１のソフトウェアアプリケーション１１６。ソフトウェアアプリケーション１１６は、ウェブリソースにアクセスする。アプリケーション１１６がウェブリソースを要求するとき、アプリケーション１１６はクッキー１２４を要求に含める。ならびに、
・ウェブアプリケーションであり得る、第２のソフトウェアアプリケーション１１８。ソフトウェアアプリケーション１１８は、ウェブリソースにアクセスする。アプリケーション１１８がウェブリソースを要求するとき、アプリケーション１１８はクッキー１２６を要求に含める。
【００２４】
[0037]  図４を参照すると、ホームルータ１１２は一般的には、１つまたは複数の処理装置（CPU）４０２、複数のネットワークまたは他の通信インターフェース４０４、メモリ４１４、および、これらの構成要素を相互接続するための１つまたは複数の通信バス４１２を含む。通信バス４１２は、システム構成要素間の通信を相互接続および制御する回路網（チップセットと呼ぶ場合がある）を含み得る。メモリ４１４は、ＤＲＡＭ、ＳＲＡＭ、ＤＤＲ  ＲＡＭ、または他のランダムアクセスソリッドステートメモリデバイスなどの高速ランダムアクセスメモリを含み得るものであり、１つまたは複数の、磁気ディスク記憶デバイス、光学ディスク記憶デバイス、フラッシュメモリデバイス、または他の不揮発性ソリッドステート記憶デバイスなどの不揮発性メモリを含み得る。メモリ４１４、または代わりに、メモリ４１４内部の不揮発性メモリデバイスは、コンピュータ可読記憶媒体を備える。一部の実施形態ではメモリ４１４、または、メモリ４１４のコンピュータ可読記憶媒体は、以下のプログラム、モジュール、およびデータ構造、またはそれらの部分集合を記憶する。
・一般的には、様々な基本システムサービスに対処するための、および、ハードウェア依存のタスクを遂行するためのプロシージャを含む、オペレーティングシステム４１６（例えば、LINUXまたはUNIX）。
・ルータ１１２をサーバまたは他のコンピューティングデバイスに、インターネット、他のワイドエリアネットワーク、ローカルエリアネットワーク、メトロポリタンエリアネットワーク等々のような、１つまたは複数の通信ネットワーク１４０を介して接続するために使用される、ネットワーク通信モジュール４１８。
・ウェブページおよび電子メールなどのデータを、ホームネットワーク上のコンピュータ（例えば、クライアントコンピュータ１０２またはパーソナルユーザデバイス１０４）と、インターネットサービスプロバイダ（ISP）を介してインターネットに接続するケーブルまたはＤＳＬモデムとの間で通過させる、ルーティングモジュール４２０。ルーティングモジュール４２０は、データのパケットを読み出し、それらを、ルーティングテーブルおよび／またはルーティングポリシーを使用して最終的な宛先に転送する。ならびに、
・クッキーを、それらがルータを介して転送される際に識別および記憶する、追跡ソフトウェア１３０。一部の実施形態では追跡ソフトウェアはさらに、広告要求に応答してユーザに配信される広告を識別することにより、広告接触を測定および／または記憶する。追跡ソフトウェア１３０は、家庭に対する回答者ＩＤ４２２を記憶し、回答者ＩＤ４２２を、アプリケーション１１６および１１８により保存されるクッキーと相互に関係付けるために、回答者サーバに情報を送出する。
【００２５】
[0038]  図５を参照すると、広告サーバ１０６は一般的には、１つまたは複数の処理装置（CPU）５０２、１つまたは複数のネットワークまたは他の通信インターフェース５０４、メモリ５１４、および、これらの構成要素を相互接続するための１つまたは複数の通信バス５１２を含む。通信バス５１２は、システム構成要素間の通信を相互接続および制御する回路網（チップセットと呼ぶ場合がある）を含み得る。広告サーバ１０６は任意選択により、ユーザインターフェース５０６、例えば、ディスプレイ５０８およびキーボード５１０を含み得る。メモリ５１４は、ＤＲＡＭ、ＳＲＡＭ、ＤＤＲ  ＲＡＭ、または他のランダムアクセスソリッドステートメモリデバイスなどの高速ランダムアクセスメモリを含み得るものであり、１つまたは複数の、磁気ディスク記憶デバイス、光学ディスク記憶デバイス、フラッシュメモリデバイス、または他の不揮発性ソリッドステート記憶デバイスなどの不揮発性メモリを含み得る。メモリ５１４は、中央処理装置５０２から遠くに位置する大容量記憶装置を含み得る。メモリ５１４、または代わりに、メモリ５１４内部の不揮発性メモリデバイスは、コンピュータ可読記憶媒体を備える。一部の実施形態ではメモリ５１４、または、メモリ５１４のコンピュータ可読記憶媒体は、以下のプログラム、モジュール、およびデータ構造、またはそれらの部分集合を記憶する。
・一般的には、様々な基本システムサービスに対処するための、および、ハードウェア依存のタスクを遂行するためのプロシージャを含む、オペレーティングシステム５１６（例えば、LINUXまたはUNIX）。
・広告サーバ１０６を他のサーバまたは他のコンピューティングデバイスに、インターネット、他のワイドエリアネットワーク、ローカルエリアネットワーク、メトロポリタンエリアネットワーク等々のような、１つまたは複数の通信ネットワーク１４０を介して接続するために使用される、ネットワーク通信モジュール５１８。
・広告要求に応答する、ウェブ要求モジュール５２０。
・広告要求に応答して配信するための適切な広告を選択する、広告選択モジュール５２２。選択プロセスは、回答者に関する様々なデータ（例えば、図７Ａを参照）、および／または、様々な広告に関するデータ（例えば、図７Ｂを参照）、および／または、どの広告が以前に回答者に提示されたかを指示する広告ログ１５６からの履歴情報（例えば、図７Ｃを参照）を利用することが可能である。ならびに、
・回答者データ１５２、広告データ１５４、および広告ログ１５６を記憶する、データベース１１０。
【００２６】
[0039]  図５で図解する実施形態では、データベース１１０は広告サーバ１０６で記憶される。他の実施形態では、データベース１１０は、別個のデータベースサーバ上で（例えば、図１を参照）、または、回答者サーバ１０８で保持される。複数の広告サーバ１０６が存在するとき、データベース１１０は典型的には、別個のデータベースサーバ（または、複数のサーバ）上で記憶される。
【００２７】
[0040]  図６を参照すると、回答者サーバ１０８は一般的には、１つまたは複数の処理装置（CPU）６０２、１つまたは複数のネットワークまたは他の通信インターフェース６０４、メモリ６１４、および、これらの構成要素を相互接続するための１つまたは複数の通信バス６１２を含む。通信バス６１２は、システム構成要素間の通信を相互接続および制御する回路網（チップセットと呼ぶ場合がある）を含み得る。回答者サーバ１０８は任意選択により、ユーザインターフェース６０６、例えば、ディスプレイ６０８およびキーボード６１０を含み得る。メモリ６１４は、ＤＲＡＭ、ＳＲＡＭ、ＤＤＲ  ＲＡＭ、または他のランダムアクセスソリッドステートメモリデバイスなどの高速ランダムアクセスメモリを含み得るものであり、１つまたは複数の、磁気ディスク記憶デバイス、光学ディスク記憶デバイス、フラッシュメモリデバイス、または他の不揮発性ソリッドステート記憶デバイスなどの不揮発性メモリを含み得る。メモリ６１４は、中央処理装置６０２から遠くに位置する大容量記憶装置を含み得る。メモリ６１４、または代わりに、メモリ６１４内部の不揮発性メモリデバイスは、コンピュータ可読記憶媒体を備える。一部の実施形態ではメモリ６１４、または、メモリ６１４のコンピュータ可読記憶媒体は、以下のプログラム、モジュール、およびデータ構造、またはそれらの部分集合を記憶する。
・一般的には、様々な基本システムサービスに対処するための、および、ハードウェア依存のタスクを遂行するためのプロシージャを含む、オペレーティングシステム６１６（例えば、LINUXまたはUNIX）。
・回答者サーバ１０８を他のサーバまたは他のコンピューティングデバイスに、インターネット、他のワイドエリアネットワーク、ローカルエリアネットワーク、メトロポリタンエリアネットワーク等々のような、１つまたは複数の通信ネットワーク１４０を介して接続するために使用される、ネットワーク通信モジュール６１８。
・ユーザおよび家庭を、それらの広告接触が追跡されるように回答者として勧誘および登録する、登録モジュール６２０。登録の間に、一意的な回答者ＩＤ４２２がユーザまたは家庭に割り当てられる。登録プロセスは、図８Ａを参照して下記でより詳細に説明される。
・一意的な回答者ＩＤ４２２を回答者登録プロセスの間に生成する、ＩＤ生成器６２２。一部の実施形態ではＩＤ生成器６２２は、広告など、他の対象に対する一意的なＩＤを同様に生成する。
・回答者ＩＤ４２２をクッキーＩＤ７０４と相互に関係付ける、相互の関係付けモジュール６２４。このプロセスは、図８Ｄを参照して下記でより詳細に説明される。ならびに、
・データベース１１０内の回答者１５２、広告１５４、および広告ログ１５６に基づいて様々な報告を生成する、報告生成器モジュール６２６。報告生成器モジュール６２６は、個々の回答者に対する報告、および、複数の回答者からの集約されたデータの報告を生成する。
【００２８】
[0041]  図２〜図６は様々なコンピューティングデバイスを図解するが、これらの図は、本明細書で説明する実施形態の構造概略図というよりむしろ、単一のコンピューティングデバイスまたはサーバの集合内に存在し得る様々な特徴の機能的な図解として意図されたものである。実際には、および当業者により認識されるように、別個に示す項目が組み合わされる場合があり、一部の項目は分離される場合がある。例えば、図１で別個に示す一部の項目（広告サーバ１０６および回答者サーバ１０８など）が単一のサーバ上で実装される場合があり、単一の項目が１つまたは複数のサーバにより実装される場合がある。広告追跡システム１６０を実装するために使用されるサーバの実際の数、および、特徴がそれらの間でどのように割り振られるかは、実施形態ごとに変動することになり、部分的には、ピークの使用状況の期間の間、および、平均の使用状況の期間の間にシステムが対処しなければならないデータトラフィックの量に依存し得る。
【００２９】
[0042]  本明細書で説明する方法の各々は、コンピュータ可読記憶媒体上に記憶され、１つまたは複数のサーバまたはクライアントの、１つまたは複数のプロセッサにより実行される命令により遂行され得る。図２〜図６で示す動作の各々は、コンピュータメモリまたはコンピュータ可読記憶媒体内に記憶される命令に対応し得る。
【００３０】
[0043]  図７Ａは、回答者データ１５２を記憶するための例示的なデータ構造を図解する。一部の実施形態では「回答者」は、家庭に対応する。これらの実施形態ではオンライン広告接触は、家庭の構成員のすべてに対して追跡される。一部の実施形態では「回答者」は、家庭の単一の構成員に対応する。
【００３１】
[0044]  各々の回答者に対して、広告追跡システム１６０は一意的な回答者ＩＤ４２２を割り当てる。回答者ＩＤ４２２は、登録された家庭またはユーザを一意的に識別する。回答者データ構造１５２は、ゼロまたはそれより多くのクッキーＩＤ７０４もまた記憶する。各々のクッキーＩＤは、コンピュータ１０２またはパーソナルユーザデバイス１０４上の、ソフトウェアアプリケーション１１６または１１８により使用されるクッキーに対応する。したがって各々のクッキーＩＤ７０４は、アプリケーション、および、アプリケーションが実行しているところのデバイスの両方を一意的に識別する。図１で図解するように、同じデバイス（パーソナルデバイス１０４など）上で実行する２つ以上の別々のアプリケーション１１６および１１８は、別々のクッキーを、したがって、別々のクッキーＩＤ７０４を有する。同様に図１は、同じアプリケーション１１６が、異なるデバイス（例えば、コンピュータ１０２およびパーソナルデバイス１０４）上で実行するときに、別々のクッキー１２２および１２４を利用し、クッキー１２２および１２４の各々が別々のクッキーＩＤ７０４を有するということを図解している。
【００３２】
[0045]  回答者データ構造１５２は典型的には、家庭構成員の名前７０６、および、家庭構成員に関するデモグラフィックデータ７１２を含む。例えば一部の実施形態は、年齢および性別をデモグラフィックデータ７１２内に含む。一部の実施形態では回答者データ構造１５２は、家庭に対するネットワークアドレス７０８を含む。ネットワークアドレス７０８は典型的には、ホームルータ１１２に取り付けられたケーブルまたはＤＳＬモデムのＩＰアドレスである。回答者の「ネットワークアドレス」７０８は、本質的には回答者の「ホームアドレス」であることに留意されたい。回答者のネットワークアドレス７０８は、パーソナルユーザデバイス１０４が自宅から離れて使用されるときに変化しない。
【００３３】
[0046]  一部の実施形態では回答者データ構造１５２は、回答者に関連付けられるコンピュータ１０２およびパーソナルデバイス１０４の各々に対するデバイスアドレス７１０を含む。典型的にはデバイスアドレス７１０は、コンピュータ１０２またはパーソナルデバイス１０４により使用されるネットワークインターフェースカード（NIC）に割り当てられるＭＡＣアドレスである。グローバル一意アドレスを提供することに加えて、ＭＡＣアドレスは一般的にはデバイスのタイプを識別する。
【００３４】
[0047]  一部の実施形態では回答者データ構造１５２は、登録日７１４および／または満了日７１６を含む。使用されるとき、満了日７１６は、ユーザが、広告接触が追跡されることにどれだけ長く同意したかを指示するものである。一部の実施形態は、ステータスフィールド７１８を回答者データ構造１５２内に含む。例示的なステータス値は、「登録」、「活動状態」、および「非活動状態」である。例えばステータスは、満了日の後に非活動状態となり得る。一部の実施形態では回答者データ構造１５２は、データベース１１０内の１つまたは複数のテーブル内に記憶される。
【００３５】
[0048]  図７Ｂは、例示的な広告データ構造１５４を図解する。広告７３４が創出されるとき、広告７３４は一意的な広告ＩＤ７３２が割り当てられる。この広告ＩＤ７３２は、広告データ構造１５４内に含まれる。広告データ構造１５４は、広告７３４自体（例えば、画像またはビデオ）もまた含む。一部の実施形態では広告７３４は、データベース１１０内にバイナリラージオブジェクト（BLOB）として記憶される。一部の実施形態では広告データ構造１５４は、広告７３４を説明または分類するために使用されるキーワード７３６を含む。一部の実施形態では、キーワード７３６として選択され得る用語は、回答者デモグラフィックデータ７１２と相互に関係付けられる。例えば回答者デモグラフィックデータは、テニスへの関心を指示する場合があり、「テニス」が、広告に対してキーワード７３６として使用され得る用語となる場合がある。キーワード７３６の代わりに、またはキーワード７３６に加えて、一部の実施形態は、広告データ構造１５４内にターゲットデモグラフィック７３８を設ける。例えば広告７３４は、４０歳を超える男性に、または、特定の地理的地域内の人々がターゲットにされ得る。
【００３６】
[0049]  一部の実施形態では広告７３４は、使用制限７４０を有する場合がある。例えば広告主は、広告７３４を回答者にある程度の数の回数（例えば、２回）より多く提示することに対して代金を払うことを望まない場合がある。一部の実施形態は、広告７３４が誰かに提示される回数の総数を制限する、集約された使用制限７４０をさらにサポートする。一部の実施形態は、時刻および／または曜日に基づく制限７４０をサポートする。一部の実施形態では、ターゲットデモグラフィック７３８および使用制限７４０は、それらは両方とも、広告７３４が広告要求に応答して返送されるときにフィルタリングするので、機能的に組み合わされる。一部の実施形態では広告データ構造１５４は、広告７３４の現在のステータスを指示するステータスフィールド７４２を含む。例えば一部の実施形態は、「非活動状態」、「活動状態」、および「終止」のステータス値を使用する。各々の広告７３４は、広告主ＩＤ７４４により識別される特定の広告主に関連付けられる。各々の広告７３４に対して広告主は、ユーザ１００に広告７３４を配信するための価格設定に関する広告追跡システム１６０の運用者との金融協定７４６を有する。金融協定７４６は、あらゆる広告提示に対する固定価格と同じ程度に単純である場合があり、または、より複雑である場合がある。
【００３７】
[0050]  図７Ｃは、広告ログ１５６に対する例示的なデータ構造の一部の主要な要素を図解する。広告ログ１５６は、どの広告７３４がどのユーザに、およびいつ提示されたかを指示する。ログ１５６は、提示された特定の広告７３４を識別する広告ＩＤ７３２、および、広告７３４を表示するウェブページを識別するウェブサイト７５８を含む。ログ１５６は、広告７３４がいつ送出されたかを識別するタイムスタンプ７６０もまた含む。一部の実施形態では広告ログ１５６は、広告要求が発生したところのＩＰアドレス７６４を含む。例えば、広告要求が回答者の自宅から発生したならば、ＩＰアドレス７６４は、ホームルータ１１２（または、ルータ１１２に取り付けられたケーブル/DSLモデム）のＩＰアドレスである。要求が自宅から離れて発生したならば、ＩＰアドレス７６４は、ＷｉＦｉアクセスポイント１３４のアドレス、または、セルラー電話塔１３２に関連付けられるアドレスである。一部の実施形態では広告ログ１５６は、広告要求が発生したデバイス（例えば、コンピュータ１０２またはパーソナルデバイス１０４）の地理的場所を識別する場所７６２を含む。一部の実施形態では地理的場所７６２は、ＩＰアドレス７６４に基づいて逆ジオコーディングにより推測される。パーソナルデバイス１０４などのデバイスが広告要求を発行するとき、要求はクッキーを含む。クッキーは、クッキーＩＤ７０４（図１でのアプリケーション１１６および１１８に関連付けられる、クッキーID１２２、１２４、および１２６など）を有する。クッキーＩＤ７０４は、広告ログ１５６内に記憶される。
【００３８】
[0051]  一般的には、広告要求は回答者ＩＤ４２２を含まないが、その理由は、デバイス（例えば、パーソナルデバイス１０４）がその情報を記憶しないからというものである。開示する実施形態は、ユーザデバイス（例えば、コンピュータ１０２またはパーソナルデバイス１０４）上で走らせるための何らの特別な追跡ソフトウェアも必要としない。広告宣伝要求が回答者ＩＤ４２２を含まないとき、広告ログ１５６内の回答者ＩＤフィールドは空白（またはヌル）のままにされる。一部の実施形態では、広告要求がホームルータ１１２を通過するとき、ルータは回答者ＩＤ４２２を要求に付加し、その事例では、回答者ＩＤ４２２は広告ログ１５６内に直接記憶される。一般的には、広告ログ１５６内の回答者ＩＤ４２２は、後で回答者サーバ１０８により充填される。このことは、図８Ｄに関して下記でより詳細に説明される。
【００３９】
[0052]  図８Ａは、オンライン広告接触の追跡のために、ユーザ１００または家庭を回答者として登録するための例示的なプロセス８００を図解する。一部の実施形態では、広告追跡のための適切なハードウェアおよび／またはソフトウェアによって家庭を識別する、事前の適格性確認プロセスが存在する。例えばある種の家庭用ルータ１１２（または、ルータ１１２上で実行するソフトウェアの異形）は、広告追跡システム１６０とともに、より良好に機能することが可能である。別の例として、ルータ１１２なしでケーブル／ＤＳＬモデムに直接接続される単一のコンピュータ１０２を有する家庭は、開示する実施形態に適さないことになる。
【００４０】
[0053]  適したユーザ１００または家庭が識別されると、広告追跡システム１６０は、回答者団への参加を求めてユーザまたは家庭を勧誘する（８０２）。勧誘は、ウェブページ内の「広告」として提示される場合があり、電子メールとして、または同様の手段を介して送出される場合がある。ユーザは、何らかの利益（例えば、個人化されたコンテンツ、特別なアクセス、金銭的報酬、特別なオファー、インターネットへのアクセスのための費用の低減、ペアレンタルコントロールツール等）と引き換えに参加することに同意し（８０４）、デモグラフィックデータ７１２を含むユーザ情報を提供する（８０８）。情報を提供すること（８０８）に加えて、登録プロセスは回答者ＩＤ４２２を要求する（８０６）。
【００４１】
[0054]  広告追跡システム１６０がユーザ情報および回答者ＩＤ要求を受信するとき、システム１６０は、一意的な回答者ＩＤ４２２を生成し（８１０）、ユーザ情報を回答者データベース１５２内に記憶する（８１２）。追跡システム１６０は回答者ＩＤ４２２を提供し（８１４）、ユーザのホームルータ１１２はその回答者ＩＤ４２２を記憶する（８１８）。追跡システム１６０はさらに、ユーザのホームルータ１１２上で走る追跡ソフトウェア１３０を提供する（８１６）。ホームルータ１１２は、ソフトウェア１３０をインストールし（８２０）、そのソフトウェア１３０が、広告接触を追跡するために必要とされる情報を捕捉および測定することを可能にする。一部の実施形態では、各々のコンピュータ１０２またはパーソナルデバイス１０４上で実行する追跡ソフトウェアもまた存在する。
【００４２】
[0055]  図８Ｂは、ホームコンピュータ１０２またはパーソナルデバイス１０４から広告データを収集するための例示的なプロセス８２４Ａを図解する。初めにユーザ１００は、パーソナルユーザデバイス１０４上のウェブアプリケーション１１６と対話する（８２６）。ウェブアプリケーション１１６は、ユーザ１００に提示するための広告を要求する（８２８）。広告要求は、クッキーＩＤ７０４を伴うクッキー１２４を含む（８２８）。図解するプロセス８２４Ａではパーソナルデバイス１０４は、ホームルータ１１２を介してインターネットに接続される。この実施形態では、ルータ上の追跡ソフトウェア１３０が広告サーバ１０６に要求を転送し（８３０）、さらに要求内のクッキー１２４を検出する（８４４）。一部の実施形態では追跡ソフトウェア１３０は、転送前に要求内に回答者ＩＤ４２２を挿入する。ルータは、クッキー（または、クッキーID７０４だけ）をルータ１１２のメモリ４１４内に保存する（８４６）。
【００４３】
[0056]  広告サーバ１０６は、広告要求に応答して広告７３４を選択し（８３２）、広告７３４を、要求を発行したパーソナルデバイス１０４に送出する（８３４）。広告サーバ１０６はさらに、クッキー１２４のクッキーＩＤ７０４、および、選択された広告７３４の広告ＩＤ７３２を含めて、広告要求をロギングする（８４０）。回答者ＩＤ４２２が要求内に含まれるならば、回答者ＩＤ４２２はログレコードとともに記憶される。上記で、図７Ｃで図解したように、広告要求をロギングすることは、一部の実施形態では、タイムスタンプ７６０、場所７６２、およびＩＰアドレス７６４を記憶することもまた含む。一部の実施形態では、応答の広告７３４を選択すること（８３２）は、回答者に関するデータ（例えば、図７Ａを参照）を広告に関する情報（例えば、図７Ｂを参照）と相互に関係付けること、および／または、広告データ１５４を広告ログ１５６内のデータと相互に関係付けることを含む。
【００４４】
[0057]  ホームルータ１１２は、広告サーバ１０６から広告７３４を受信し、広告７３４をパーソナルユーザデバイス１０４に転送する（８３６）。次いで、パーソナルユーザデバイス１０４上で実行するアプリケーション１１６が広告を表示する（８３８）。
【００４５】
[0058]  図８Ｃは、ホームコンピュータ１０２またはパーソナルデバイス１０４から広告データを収集するための代替的な例示的なプロセス８２４Ｂを図解する。違いは、プロセス８２４Ａでは、ウェブページがすでにパーソナルデバイス１０４上に存在しており、要求は、ディスプレイ上で新しい広告７３４を充填するためだけのものであるということである。プロセス８２４Ｂでは、新しいウェブページが要求され、広告は、ウェブサーバ１６２により、コンピュータ１０２またはパーソナルデバイス１０４に送出する前に充填される。
【００４６】
[0059]  上記のプロセス８２４Ａにと同様に、ユーザ１００は初めに、パーソナルユーザデバイス１０４上のソフトウェアアプリケーション１１６と対話する（８５０）。ウェブアプリケーション１１６は、ウェブページを要求する（８５２）。要求は、アプリケーション１１６およびパーソナルユーザデバイス１０４を識別するクッキー１２４を含む。ホームルータ１１２は、要求内のクッキー１２４を検出し（８５４）、クッキー１２４、またはそのクッキー１２４の対応するクッキーＩＤ７０４を保存する（８５４）。ルータ１１２は、ウェブページ要求を適切なウェブサーバ１６２に転送する（８５６）。一部の実施形態ではルータ１１２は、転送前に要求内に回答者ＩＤ４２２を挿入する。ウェブサーバ１６２は、ウェブページ要求を分析し（８５８）、要求されるウェブページが、広告７３４用に指定された１つまたは複数の領域を含むということを決定する（８５８）。ウェブサーバ１６２は、１つまたは複数の領域に対する広告７３４を要求する（８６０）。プロセス８２４Ａでのように、プロセス８２４Ｂでの広告サーバ１０６は、ウェブサーバの要求に応答して広告を選択する（８６２）。広告サーバ１０６は、選択された広告７３４を含めて、広告要求をロギングし（８６４）、広告をウェブサーバ１６２に送出する（８６６）。選択（８６２）およびロギング（８６４）動作は、プロセス８２４Ａに関して上記で説明した選択（８３２）およびロギング（８４０）動作に類似する。
【００４７】
[0060]  ウェブサーバ１６２は、広告サーバ１０６により提供される広告７３４を含む、要求されるウェブページを構築する（８６８）。次いで、ウェブサーバ１６２はウェブページをルータ１１２に送出し（８７０）、そのルータ１１２は、ウェブページをアプリケーション１１６に転送する（８７２）。アプリケーション１１６はウェブページを表示し、ユーザ１００はアプリケーション１１６と引き続き対話する（８５０）。
【００４８】
[0061]  図８Ｂおよび図８Ｃでのプロセス８２４Ａおよび８２４Ｂは、パーソナルユーザデバイス１０４がインターネットにホームルータ１１２を介して接続される事例を図解するものであるが、プロセスは本質的には、パーソナルユーザデバイス１０４がインターネットに、代替的なＷｉＦｉアクセスポイント１３４またはセルラーネットワーク１３２（例えば、3Gまたは4G）を介して接続されるときには同じである。主な違いは、ＷｉＦｉアクセスポイント１３４またはセルラーネットワーク１３２は、追跡ソフトウェア１３０を走らせておらず、したがって、広告要求内に含まれるクッキー（例えば、クッキー１２４）を検出または保存しないということである。クッキー１２４が中間のルータにより検出または保存されないときでも、クッキー１２４は要求内に含まれ、したがって、広告サーバ１０６はクッキー１２４を受信する。したがって広告サーバ１０６は、変わらずに広告ログ１５６内にクッキーＩＤ７０４を保存することが可能である。
【００４９】
[0062]  図８Ｄは、収集された広告データを利用するための例示的なプロセス８７４を図解する。図８Ｂおよび図８Ｃで図解するように、ホームルータ１１２は、パーソナルユーザデバイス１０４からのクッキーを識別する（８７６）。ルータ１１２は、クッキーＩＤ７０４および対応する回答者ＩＤ４２２を回答者サーバ１０８に送出する（８７８）。回答者サーバ１０８は、クッキーＩＤ７０４および回答者ＩＤ４２２をルータ１１２から受信し（８８０）、次いで、回答者ＩＤ４２２とクッキーＩＤ７０４との間の相互の関係付けをデータベース１１０内に記憶する（８８２）。この相互の関係付けがデータベース１１０内に記憶されるので、回答者サーバ１０８は、各々のクッキーＩＤ７０４に対して１回だけ情報を受信すればよい。
【００５０】
[0063]  何らかの時点で回答者サーバ１０８は、広告ログ１５６からデータを索出する（８８４）。目的は、回答者ＩＤ４２２を伴わないログエントリを識別し、それらの欠損したエントリを、回答者ＩＤ４２２と１つまたは複数のクッキーＩＤ７０４との間の相互の関係付けに基づいて充填することである。回答者サーバ１０８は、広告ログ１５６からデータを索出し（８８４）、回答者ＩＤ４２２を伴わない（例えば、空白またはヌル）ログレコードを求めてデータをスキャンする（８８６）。回答者サーバ１０８は、割り当てられた回答者ＩＤ４２２を有さない、１つまたは複数のログレコードであって、ただし、それらのログレコードに対して回答者ＩＤ４２２が、クッキーＩＤ７０４と回答者ＩＤ４２２との間の相互の関係付けに基づいて知られるものを識別する（８８８）。回答者サーバ１０８は、対応する回答者ＩＤ４２２をログレコードに割り当て（８９０）、データベース１１０内の広告ログ１５６をその回答者ＩＤの割り当てによって更新する（８９２）。
【００５１】
[0064]  各々のクッキーＩＤに関連付けられる回答者ＩＤ４２２を記憶することは、各々のクッキーＩＤに対して１回だけ行われるが、ログレコードに対する回答者ＩＤのスキャンおよび割り当てのプロセス（８８４〜８９２）は繰り返し行われる。例えば一部の実施形態では、新しいログレコードが自宅外での広告への接触に基づいて広告ログ１５６に追加される各回で、新しく追加されるログレコードは、割り当てられた回答者ＩＤを有さない。したがって、定期的なスキャンが必要とされる。
【００５２】
[0065]  一部の実施形態では、図８Ｄでは図解しないが、回答者ＩＤ４２２がログレコードに割り当てられることが、それらのログレコードが創出される際に、関連性のあるクッキーＩＤ７０４と回答者ＩＤ４２２との間の相互の関係付けが知られる限りにおいて行われる。これらの実施形態の一部では、ログの初期のスキャンが、クッキーＩＤ７０４が最初に回答者ＩＤ４２２と相互に関係付けられるときに行われ、次いで、同じクッキーＩＤ７０４を伴う広告要求の後続のロギングで、ログレコードが創出される際に回答者ＩＤ４２２を記憶する。
【００５３】
[0066]  実施形態は、広告ログ１５６を様々な方途で利用する。各々の事例では回答者サーバ１０８は、広告ログ１５６からのデータを含む、データベース１１０からのデータの集合を索出する（８９４）。索出されるデータは、個々の回答者ＩＤ４２２に対するもの、または、回答者の集約された集合に対するものである。データが集約されるとき、集約は典型的には、回答者または広告の特性（図７Ａおよび図７Ｂを参照）に基づく。回答者サーバ１０８は、回答者（または回答者の集合）に対するログレコードを分析する（８９６）。一部の実施形態では回答者サーバ１０８は、回答者の広告接触、または、回答者の選択された集合に対する広告接触の報告を生成する（８９８）。一部の実施形態では回答者サーバ１０８は、回答者または回答者の集合に対する行動のパターンを識別する（８９９）。
【００５４】
[0067]  この分析は、
・ユーザがウェブを、自宅で、および自宅外での両方で、どのように動き回るかに関する、より良好な情報、
・広告主に、どのデモグラフィックがその広告主の広告を目にしているかに関して報告する、より大きな能力、ならびに、
・どのような人々がウェブサイトを訪問するかのより良好な見当が存在するので、広告が、ウェブサイトを訪問するユーザにどのようにサービス提供されるかの最適化を提供する。
【００５５】
[0068]  図９Ａ〜図９Ｄは、家庭内のユーザのオンライン広告接触を追跡する（９０２）例示的なプロセス９００を図解する。プロセス９００は、各々が１つまたは複数のプロセッサおよびメモリを有する、１つまたは複数のサーバを含む、広告宣伝追跡システム１６０により遂行される。プロセス９００ではシステム１６０は、ホームルータ１１２からの、ユーザ１００を回答者として登録するための要求を受信し（９０４）、その回答者のオンライン広告接触が追跡される。システム１６０は、回答者ＩＤ４２２を生成し（９０６）、回答者ＩＤ４２２をホームルータ１１２に送出する。この登録プロセスは、図８Ａを参照して上記でより詳細に説明されている。
【００５６】
[0069]  システム１６０は、ホームルータ１１２から、回答者ＩＤ４２２、および、第１のウェブアプリケーション１１６に関連付けられる第１のクッキーＩＤ７０４を含むメッセージを受信する（９０８）。第１のクッキーＩＤ７０４は、第１のウェブアプリケーション１１６、および、一意的なパーソナルユーザデバイス１０４を識別する（９１０）。一部の実施形態では、回答者ＩＤ４２２および第１のクッキーＩＤ７０４を含むメッセージは広告要求である（９１２）。システム１６０は、回答者ＩＤ４２２をクッキーＩＤ７０４と相互に関係付ける（９１４）。システム１６０は、回答者ＩＤ４２２を第１のクッキーＩＤ７０４と相互に関係付ける情報を回答者データベース１５２内に記憶する（９１６）。この相互の関係付けプロセスは、図８Ｄを参照して上記でより詳細に説明されている。
【００５７】
[0070]  システムは、パーソナルユーザデバイス１０４から発生し、ホームルータ１１２を介してルーティングされない、第１の広告要求を受信し（８１８）、第１の広告要求は、第１のクッキーＩＤ７０４を含む。システム１６０は、第１の広告要求に応答して第１の広告７３４を選択し（９２０）、第１の広告７３４をパーソナルユーザデバイス１０４に送出する（９２２）。システム１６０は、第１のクッキーＩＤ７０４、および、第１の広告７３４に対応する識別子７３２を含む、第１の広告要求に対応する情報を広告ログ１５６内に記憶する（９２４）。一部の実施形態では、第１の広告要求に対応する情報を広告ログ１５６内に記憶することは、回答者ＩＤ４２２を第１のクッキーＩＤ７０４と相互に関係付ける情報を記憶することの前に行われる（９２６）。他の実施形態では、第１の広告要求に対応する情報を広告ログ１５６内に記憶することは、回答者ＩＤ４２２を第１のクッキーＩＤ７０４と相互に関係付ける情報を記憶することの後に行われる（９２８）。
【００５８】
[0071]  広告ログ１５６は、追加的な情報を含み得る。例えば一部の実施形態では、第１の広告要求に対応する記憶される情報は、第１の広告要求が発生した場所に関連付けられるＩＰアドレス７６４を含む（９３０）。一部の実施形態では、第１の広告要求に対応する記憶される情報は、パーソナルユーザデバイス１０４が第１の広告要求を発生させたときにパーソナルユーザデバイス１０４がどこに位置したかを識別する場所情報７６２を含む（９３２）。一部の実施形態では、第１の広告要求に対応する記憶される情報は、応答の広告がパーソナルユーザデバイス１０４にいつ送出されたかを識別するタイムスタンプ７６０を含む（９３４）。一部の実施形態では、第１の広告要求に対応する記憶される情報は、広告が表示されるウェブサイト７５８またはウェブページ７５８を含む。
【００５９】
[0072]  システム１６０は、第１のクッキーＩＤ７０４を使用して、第１の広告要求を回答者ＩＤ４２２と相互に関係付ける（９３６）。すなわち、回答者ＩＤ４２２はクッキーＩＤ７０４と相互に関係付けられ、広告要求はクッキーＩＤ７０４に関連付けられるので、広告要求は回答者ＩＤ４２２に関連付けられる。
【００６０】
[0073]  システムは、ユーザのオンライン広告接触（自宅から離れた広告接触を含む）の報告を生成する（９３８）。報告は、少なくとも、第１の広告要求に対応する情報の部分集合を含む（９３８）。一部の実施形態では、ユーザのオンライン広告接触の報告は、少なくとも、第１および第２の広告要求に対応する情報の部分集合を含む（９４０）（第２の要求は、下記で解説される）。
【００６１】
[0074]  図１で図解するように、２つ以上のアプリケーション１１６および１１８が、同じパーソナルユーザデバイス１０４上で実行することが可能である。各々のアプリケーションは、それ自体のクッキー（１２２および１２４）を有する。一部の実例ではシステム１６０は、ホームルータ１１２から、回答者ＩＤ４２２、および、第２のウェブアプリケーション１１８に関連付けられる第２のクッキーＩＤを含むメッセージを受信する（９４２）。第２のクッキーＩＤは、第２のウェブアプリケーション１１８、および、パーソナルユーザデバイス１０４を識別する（９４２）。この実例ではシステム１６０は、回答者ＩＤ４２２を第２のクッキーＩＤと相互に関係付け（９４４）、回答者ＩＤ４２２を第２のクッキーＩＤと相互に関係付ける情報を回答者データベース１５２内に記憶する（９４６）。
【００６２】
[0075]  パーソナルユーザデバイス１０４上で実行する第２のウェブアプリケーション１１８が存在するとき、システム１６０は、第２のクッキーＩＤを含む、パーソナルユーザデバイス１０４から発生する第２の広告要求を受信する（９４８）。システム１６０は、第２の広告要求に応答して第２の広告を選択し（９５０）、第２の広告をパーソナルユーザデバイス１０４に送出する（９５２）。システム１６０は、第２のクッキーＩＤ、および、第２の広告に対応する識別子を含む、第２の広告要求に対応する情報を広告ログ１５６内に記憶する（９５４）。システム１６０は、第２のクッキーＩＤを使用して、第２の広告要求を回答者ＩＤ４２２と相互に関係付ける（９５６）。
【００６３】
[0076]  一部の実例ではシステム１６０は、第３の広告要求をパーソナルユーザデバイス１０４から受信する（９５８）。システム１６０は、少なくとも部分的に、第１の広告要求に対応する記憶される情報を利用して（９６０）、第３の広告要求に応答して第３の広告を選択する（９６０）。次いでシステムは、第３の広告をパーソナルユーザデバイス１０４に送出する（９６２）。
【００６４】
[0077]  一部の実例ではシステム１６０は、パーソナルユーザデバイス１０４から発生する第４の広告要求を受信する（９６４）。第４の広告要求は、ホームルータ１１２を介してルーティングされ（９６４）、第１のクッキーＩＤ７０４を含む（９６４）。システムは、第４の広告要求に応答して第４の広告を選択し（９６６）、第４の広告をパーソナルユーザデバイスに送出する（９６８）。システムは、第１のクッキーＩＤ７０４、および、第４の広告に対応する識別子を含む、第４の広告要求に対応する情報を広告ログ１５６内に記憶する（９７０）。システム１６０は、第１のクッキーＩＤ７０４を使用して、第４の広告要求を回答者ＩＤ４２２と相互に関係付ける（９７２）。
【００６５】
[0078]  前述の説明は、解説目的で、複数の特定の実施形態を参照して説明された。しかしながら上記の図解の論考は、網羅的であること、または、開示した精密な形態に本発明を限定することは意図されない。多くの修正および変形が、上記の教示に鑑みて可能である。実施形態は、本発明の原理およびその実用的な用途を最良に解説し、そのことにより、他の当業者が、本発明および様々な実施形態を、企図される特殊な使用に適するような様々な修正によって最良に利用することを可能にするために、選定され説明された。
【要約】
プロセスが、ユーザ広告接触を追跡する。ユーザを回答者として登録するために、プロセスは、回答者ＩＤを生成し、その回答者ＩＤをユーザのホームルータに送出する。プロセスは、ルータからの、回答者ＩＤ、および、ウェブアプリケーションに関連付けられるクッキーＩＤを含むメッセージを受信する。クッキーＩＤは、そのアプリケーションおよびパーソナルデバイスを特定する。プロセスは、回答者ＩＤとクッキーＩＤとの間の相互の関係付けをデータベース内に記憶する。プロセスは、パーソナルデバイスからの、クッキーＩＤを含む広告要求を受信する。プロセスは、広告を選択し、その広告をパーソナルデバイスに送出する。プロセスはさらに、クッキーＩＤおよび広告識別子を含む、広告要求に対応する情報を広告ログ内に記憶する。プログラムは、クッキーＩＤを使用して、広告要求を回答者ＩＤと相互に関係付ける。プロセスは、ユーザのオンライン広告接触の報告を生成する。【図１】
0005754871.tif 000002
【図２】
0005754871.tif 000003
【図３】
0005754871.tif 000004
【図４】
0005754871.tif 000005
【図５】
0005754871.tif 000006
【図６】
0005754871.tif 000007
【図７Ａ】
0005754871.tif 000008
【図７Ｂ】
0005754871.tif 000009
【図７Ｃ】
0005754871.tif 000010
【図８Ａ】
0005754871.tif 000011
【図８Ｂ】
0005754871.tif 000012
【図８Ｃ】
0005754871.tif 000013
【図８Ｄ】
0005754871.tif 000014
【図９Ａ】
0005754871.tif 000015
【図９Ｂ】
0005754871.tif 000016
【図９Ｃ】
0005754871.tif 000017
【図９Ｄ】
0005754871.tif 000018